(57)【要約】【課題】従来の通関箱よりも利便性を向上させることが可能なＩＣタグ付き通関箱を提供する。【解決手段】収納物１３としての入れ歯等を収納する筐体１と、筐体１を封じる蓋２と、非接触通信を介して情報の書込み及び読出しが可能なＲＦＩＣタグ等のＩＣタグ３と、を備え、好ましくはＩＣタグ３の取付け場所が、所定の図形、文字、記号、色及び模様のうちの何れか１つ以上を介して、特定可能に表示され、さらに好ましくは、ＩＣタグ３に収納物の圧縮画像が格納されるように構成されている。【選択図】図１
0003139245.tif 000002
【実用新案登録請求の範囲】
【請求項１】
歯科技工の依頼及び納入に使用され、筐体と蓋とを有する通関箱であって、
少なくとも内部に収容する物を特定する情報を格納可能なＩＣタグが、非接触通信を介して情報の読出し及び書き込みが可能に前記通関箱に付されている、ことを特徴とするＩＣタグ付き通関箱。
【請求項２】
前記ＩＣタグからの情報の読出し及び書込みの場所が、所定の図形、文字、記号、色及び模様のうちの何れか１つ以上を介して、特定可能に表示されていることを特徴とする請求項１に記載のＩＣタグ付き通関箱。
【請求項３】
前記ＩＣタグからの情報の読出し及び書込みの場所が、前記蓋の開閉の何れの状態でも特定可能に前記通関箱の内側及び外側に表示されていることを特徴とする請求項２に記載のＩＣタグ付き通関箱。
【考案の詳細な説明】
【技術分野】
【０００１】
本考案は、歯科技工の依頼及び納入に使用される通関箱に関する。
【背景技術】
【０００２】
近年、インプランテーション等の高度な治療技術を要する歯科手術が、まだ十分とはいえないがより受けやすくなってきている。これは、Ｘ線透過画像が簡易に得られ易くなりつつあることにその一因がある（例えば、非特許文献１参照。）。このように、高度な治療技術が普及しつつあることに伴い、歯科技工の分野においてもより高度な技術が求められてきている。
【０００３】
その結果、一部では、依頼が特定の歯科技工士に集中する傾向が生じているといわれている。従来、歯科技工所と歯科医院との間の物品の搬送は、通関箱と称される箱の中に入れられて行われる。歯科技工所から歯科医院への納品に際して、通関箱には、納入物を特定する情報、歯科医院名、歯科技工士（所）名、納入日等の所定の情報が付される。受け取る側の歯科医院のスタッフは、これらの情報、口頭での伝達等を介して納入物の確認を行う。
【非特許文献１】インターネット〈URL：http://www.schicktech.com/flash_default.php〉
【考案の開示】
【考案が解決しようとする課題】
【０００４】
しかしながら、従来の通関箱では、情報を記録する媒体をその都度張り替えたり、納入物と管理表との照合を納品表や納入物を持参して行ったりすることとなり、利便性が低いという問題を有していた。このような作業は歯科技工所側のみならず歯科医院側でも同様に行われ、その結果、照合物の数が増えるに伴い双方における負担感が増すこととなっていた。
【０００５】
以上の現状に鑑み、本考案の目的は、従来の通関箱よりも利便性を向上させることが可能なＩＣタグ付き通関箱を提供する。
【課題を解決するための手段】
【０００６】
上記の課題を解決すべく、本考案は以下の構成を提供する。
請求項１に係る考案は、歯科技工の依頼及び納入に使用され、筐体と蓋とを有する通関箱であって、少なくとも内部に収容する物を特定する情報を格納可能なＩＣタグが、非接触通信を介して情報の読出し及び書き込みが可能に前記通関箱に付されている、ことを特徴とする。
【０００７】
請求項２に係る考案は、請求項１に記載のＩＣタグ付き通関箱において、前記ＩＣタグからの情報の読出し及び書込みの場所が、所定の図形、文字、記号、色及び模様のうちの何れか１つ以上を介して、特定可能に表示されていることを特徴とする。
【０００８】
請求項３に係る考案は、請求項２に記載のＩＣタグ付き通関箱において、前記ＩＣタグからの情報の読出し及び書込みの場所が、前記蓋の開閉の何れの状態でも特定可能に前記通関箱の内側及び外側に表示されていることを特徴とする。
【考案の効果】
【０００９】
請求項１に係る考案によれば、歯科技工の依頼及び納入に使用され、筐体と蓋とを有する通関箱であって、少なくとも内部に収容する物を特定する情報を格納可能なＩＣタグが、非接触通信を介して情報の読出し及び書き込みが可能に通関箱に付されているため、従来の通関箱よりも利便性を向上させることが可能なＩＣタグ付き通関箱を実現することができる。
【００１０】
請求項２に係る考案によれば、上記請求項１の効果に加えて、ＩＣタグからの情報の読出し及び書込みの場所が、所定の図形、文字、記号、色及び模様のうちの何れか１つ以上を介して、特定可能に表示されているため、さらに利便性を向上させることができる。
【００１１】
請求項３に係る考案によれば、上記請求項２の効果に加えて、ＩＣタグからの情報の読出し及び書込みの場所が、蓋の開閉の何れの状態でも特定可能に通関箱の内側及び外側に表示されているため、さらに利便性を向上させることができる。
【考案を実施するための最良の形態】
【００１２】
以下、実施例を示した図面を参照しつつ本考案の実施の形態について説明する。
図１は、本考案によるＩＣタグ付き通関箱とその使用環境を模式的に示す図である。ＩＣタグ付き通関箱は、図１に示すように、収納物１３としての入れ歯等を収納する筐体１と、筐体１を封じる蓋２と、非接触通信を介して情報の書込み及び読出しが可能なＲＦＩＣ（Radio Frequency IC）タグ等のＩＣタグ３と、を備える。
【００１３】
筐体１は、収納物を収容可能な強度及び寸法を有し、樹脂、木、紙、金属、セラミック材料、ガラス等の所定の材料又はこれらの材料を組み合わせたものからなる。また、蓋２は、筐体１と一体に構成されるのでも、同一の材料からなるのでも、筐体１と分離し同一又は異なる材料から構成されるのでもよい。ＩＣタグ３は、例えば粘着材を有するテープ等を介して蓋２の外側に固定的に取り付けられる。ただし、ＩＣタグ３は、筐体１に取り付けられるのでも、さらに、蓋２又は筐体１の内側に取り付けられるのでもよい。また、ＩＣタグ３は通常固定されるが、固定の方法については固定が可能なその他の方法でもよい。
【００１４】
図２は、ＩＣタグの取り付け場所の表示例を示す斜視図であり、（ａ）は外側に表示する例を示し、（ｂ）は内側に表示する例を示す。ＩＣタグ３の取付け場所は、図２において、ハッチングを施した太い矢印による表示４、５を介して特定されている。ＩＣタグ３の取付け場所は、また、例えば「ＩＣタグ」、「ＲＦＩＤ」、「読出し位置」等の文字、ＩＣタグを表すアイコン等の所定の図形、記号、色、模様、その他の視認可能なものを介した表示により特定されるのでもよい。さらに、これらの文字、記号、符号等を介した表示は、蓋２又は筐体１の外側と内側（図２（ｂ）の表示５を参照。）の両方に行われるのでもよい。
【００１５】
ＩＣタグ３には、通常、歯科技工所１０と歯科医院２０との間で取り決められた情報が記録される。具体的には、収納物を特定する情報、歯科医院名、歯科技工所（士）名、納入日等が情報として格納される。さらに、ＩＣタグ３には、収納物の圧縮画像が格納されるのでもよい。格納される画像は、ＩＣタグ３の記憶容量に応じてデータ圧縮されているのでもよい。具体的には、所謂ＪＰＥＧ（Joint Picture Experts Group）等の画像圧縮技術を介してデータ圧縮が行われる。
【００１６】
ＩＣタグ３への情報の書込みは、通常、リーダライタ１１を介して行われる。また、リーダライタ１１へのデータの入力は、リーダライタ１１の図示しないキーボード等を介して直接行われるのでも、無線等を介して通信可能なコンピュータ１２に設定された入力を受信して行われるのでもよい。さらに、リーダライタ１１が、図示しない表示手段、情報処理手段、記憶手段等を有するコンピュータ等として機能し、リーダライタ１１のみで管理、登録等が可能となっているのでもよい。
【００１７】
上記のようにＩＣタグ３が蓋２又は筐体１に取り付けられると共に、取付け場所が表示されていることによって、ＩＣタグ３の書込み及び読出し可能な場所が簡易に特定でき、その結果、ＩＣタグ３への情報の書込み、ＩＣタグ３内の情報の読出し、この情報と収納物との照合等が簡易になる。取付け場所が蓋２の外側と内側の表示されている場合、さらにこれらの作業が簡易になる。特に、ＩＣタグ３に収納物の圧縮画像が格納されている場合は、照合がさらに容易になる。
【００１８】
ＩＣタグ３内の上記の情報は、歯科医院２０側で、図示しないリーダライタを介して読み出され、例えば図示しないネットワーク上のいずれかのコンピュータ２１、２２を介してネットワーク上のコンピュータ２２、２１からアクセス可能に格納されるのでもよい。
【図面の簡単な説明】
【００１９】
【図１】本考案によるＩＣタグ付き通関箱とその使用環境を模式的に示す図である。
【図２】ＩＣタグの取り付け場所の表示例を示す斜視図であり、（ａ）は外側に表示する例を示し、（ｂ）は内側に表示する例を示す。
【符号の説明】
【００２０】
１  筐体
２  蓋
３  ＩＣタグ
４  外側の表示
５  内側の表示
１０  歯科技工所
１１  リーダライタ
１２  コンピュータ
１３  収納物（入れ歯）
１４  作業模型
２０  歯科医院
２１、２２  コンピュータ
【図１】
0003139245.tif 000003
【図２】
0003139245.tif 000004